(57)【要約】      （修正有）【課題】ホールドオーバー制御時における基地局とのタイミングずれを低減し、基地局との通信を迅速に再開することが可能な中継局を提供する。【解決手段】エア同期によって基地局１０２とのフレーム同期を行う中継局１００であって、水晶発振器１３０と、水晶発振器の速度を調整する制御電圧を加える速度制御部１３２と、制御電圧を記憶する記憶部１３６とを備える。速度制御部１３２は、基地局１０２とエア同期をしている時に基地局１０２との電波品質が所定の基準を超えているときの制御電圧を記憶部１３６に記憶し、ホールドオーバー時には、記憶した制御電圧を用いて水晶発振器を制御することを特徴とする。【選択図】図１
2017098629.tif 000002
【特許請求の範囲】
【請求項１】
エア同期によって基地局とのフレーム同期を行う中継局であって、
水晶発振器と、
前記水晶発振器の速度を調整する制御電圧を加える制御部と、
前記制御電圧を記憶する記憶部とを備え、
前記制御部は、
前記基地局とエア同期をしている時に該基地局との電波品質が所定の基準を超えているときの制御電圧を前記記憶部に記憶させ、
ホールドオーバー時には、前記記憶した制御電圧を用いて前記水晶発振器を制御することを特徴とする中継局。
【請求項２】
前記制御部は、前記記憶した制御電圧の所定区間の平均値を用いて前記水晶発振器を制御することを特徴とする請求項１に記載の中継局。
【請求項３】
前記制御部は、前記記憶した制御電圧を、所定区間繰り返し使用して前記水晶発振器を制御することを特徴とする請求項１に記載の中継局。
【請求項４】
前記電波品質はＲＳＳＩであることを特徴する請求項１から３のいずれか１項に記載の中継局。
【請求項５】
エア同期によって基地局とのフレーム同期を行う無線通信装置であって、
水晶発振器と、
前記水晶発振器の速度を調整する制御電圧を加える制御部と、
前記制御電圧を記憶する記憶部とを備え、
前記制御部は、
前記基地局とエア同期をしている時に該基地局との電波品質が所定の基準を超えているときの制御電圧を前記記憶部に記憶させ、
ホールドオーバー時には、前記記憶した制御電圧を用いて前記水晶発振器を制御することを特徴とする無線通信装置。
【発明の詳細な説明】
【技術分野】
【０００１】
本発明は、エア同期によって基地局とのフレーム同期を行う中継局および無線通信装置に関する。
【背景技術】
【０００２】
ＰＨＳや携帯電話などの端末は、一般に基地局を介してネットワークに接続されている。電波が届きにくい商業施設または地下道や、基地局用のＩＳＤＮ回線や光回線などを敷設することが難しい山間部などでは、基地局と無線端末との無線通信を中継する中継局を設置する場合がある。中継局は、端末側通信部と基地局側通信部を有し、端末側通信部が端末と通信し、基地局側通信部が基地局と通信することで、基地局と端末との通信が中継される（例えば特許文献１）。
【０００３】
中継局では、自局と通信している基地局からの制御信号（ＣＣＨ：Control CHannel）を受信するエア同期によって、基地局とのフレームタイミングの同期（以下、フレーム同期と称する）を行っている。詳細には、中継局では、基地局から定期的に送信される制御チャネルの受信タイミングを推定し、その受信タイミング推定情報と現状の自局の基準タイミングを比較し、それらの位相差を一定に維持するように制御が行われる。
【先行技術文献】
【特許文献】
【０００４】
【特許文献１】特開２０１２−１５８６７号公報
【発明の概要】
【発明が解決しようとする課題】
【０００５】
基地局が夜間などに停波し、他の周辺基地局とのフレーム同期のための定期監視に移行すると、中継局では基地局からの制御信号が受信できなくなる。すると、基地局とのエア同期が行えなくなるため、中継局では、自局の内部クロック（水晶発振器）を用いたホールドオーバー制御（Ｈ．Ｏ．制御）に移行する。ホールドオーバー制御では、中継局は、制御信号の受信ができなくなる直前のタイミングを維持するように内部クロックを制御する。
【０００６】
ここで、エア同期における制御チャネルの受信タイミングの推定は、基地局と中継局との通信における電波品質によって推定精度が変化する。すなわち、電波品質が所定レベル以上であれば、推定精度は高くなり、電波品質が下がるにしたがって推定精度は低下する。このため、従来のように制御信号の受信ができなくなる直前のタイミングを維持するように内部クロックを制御するホールドオーバー制御では、推定精度が低い場合のタイミングを維持するように内部クロックを制御してしまう可能性がある。すると、ホールドオーバー制御を行っている間に、基地局とのタイミングのずれが大きくなり、基地局が通信を再開したときのタイミングずれが大きくなってしまう。
【０００７】
本発明は、このような問題に鑑み、ホールドオーバー制御時における基地局とのタイミングずれを低減することが可能な中継局および無線通信装置を提供することを目的としている。
【課題を解決するための手段】
【０００８】
上記課題を解決するために、本発明にかかる中継局の代表的な構成は、エア同期によって基地局とのフレーム同期を行う中継局であって、水晶発振器と、水晶発振器の速度を調整する制御電圧を加える速度制御部と、制御電圧を記憶する記憶部とを備え、制御部は、基地局とエア同期をしている時に基地局との電波品質が所定の基準を超えているときの制御電圧を記憶部に記憶し、ホールドオーバー時には、記憶した制御電圧を用いて水晶発振器を制御することを特徴とする。
【０００９】
上記制御部は、記憶した制御電圧の所定区間の平均値を用いて水晶発振器を制御するとよい。
【００１０】
上記制御部は、記憶した制御電圧を、所定区間繰り返し使用して水晶発振器を制御するとよい。
【００１１】
上記電波品質はＲＳＳＩであるとよい。
【発明の効果】
【００１２】
本発明によれば、ホールドオーバー制御時における基地局とのタイミングずれを低減することが可能な中継局および無線通信装置を提供することができる。
【図面の簡単な説明】
【００１３】
【図１】本実施形態にかかる中継局を例示する図である。
【図２】中継局の第１実施形態の動作を説明するフローチャートである。
【図３】基地局と中継局とのフレームタイミングを説明する図である。
【図４】中継局の第２実施形態の動作を説明するフローチャートである。
【図５】電波品質による受信タイミングの検出ずれ量について説明する図である。
【図６】電波品質の影響によるＨ．Ｏ．制御時の中継局の基準タイミングのずれについて説明する図である。
【図７】Ｈ．Ｏ．制御時に制御電圧を平均または繰り返し使用した場合の中継局の基準タイミングのずれについて説明する図である。
【発明を実施するための形態】
【００１４】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１５】
図１は、本実施形態にかかる中継局１００を例示する図である。図１に示す中継局１００は、基地局１０２および端末１０４と無線通信を行うことにより、それらの無線通信を中継する。また本実施形態では、中継局１００は、基地局１０２からの制御信号を受信するエア同期によって、かかる基地局１０２とのフレーム同期を行う。なお、本発明の無線通信装置の例として、中継局１００を例示しているが、本発明の無線通信装置は、基地局またはレピータ等の装置でもよい。
【００１６】
図１に示すように、中継局１００は主制御部１１０を備える。主制御部１１０は、中央処理装置（ＣＰＵ）を含む半導体集積回路（不図示）により構成され、中継局１００全体を管理および制御する。また中継局１００には２つの通信部として、基地局側通信部１１２および端末側通信部１１４が設けられている。基地局側通信部１１２は、アンテナ１１２ａを介して基地局１０２との無線通信を行う。端末側通信部１１４は、アンテナ１１４ａを介して端末１０４との無線通信を行う。
【００１７】
タイミング制御部１１６は、基地局側通信部１１２および端末側通信部１１４がそれぞれ基地局１０２や端末１０４と無線通信を行うタイミングを生成する（制御する）。また基地局側通信部１１２および端末側通信部１１４は、それぞれ基地局側変復調部１２２および端末側変復調部１２４に接続されている。基地局側変復調部１２２は、基地局側通信部１１２が基地局１０２と送受信する無線信号の変調および復調を行う。端末側変復調部１２４は、端末側通信部１１４が端末１０４と送受信する無線信号の変調および復調を行う。
【００１８】
水晶発振器１３０は、例えばＶＣＯＣＸＯ（電圧制御恒温層型水晶発振器）であり、印加される制御電圧によって発振周波数が変化する。具体的には、制御電圧が大きくなれば水晶発振器１３０の発振周波数が高くなってクロック速度が速くなり、制御電圧値が小さくなれば水晶発振器１３０の発振周波数が低くなってクロック速度が遅くなる。水晶発振器１３０が生成したクロックは、基地局側通信部１１２および基地局側変復調部１２２、端末側通信部１１４および端末側変復調部１２４、タイミング制御部１１６に配られる。
【００１９】
速度制御部１３２は、水晶発振器１３０の速度を調整する制御電圧を加える。厳密には速度制御部１３２は、水晶発振器１３０の速度を調整するデジタルの電圧設定値を決定する。そして、ＤＡＣ１３４が、そのデジタルの電圧設定値をアナログの制御電圧に変換して水晶発振器１３０に印加する。記憶部１３６は、制御電圧（厳密には、速度制御部１３２が決定したデジタルの電圧設定値）を記憶する。
【００２０】
（第１実施形態）
図２は、中継局１００の第１実施形態の動作を説明するフローチャートである。図２に示すように、第１実施形態では、中継局１００は、まず基地局１０２との通信によって制御信号を定期的に受信し、主制御部１１０は、基地局１０２とのエア同期を行う（ステップＳ２０２）。すなわち、エア同期は、繰り返し定期的に行われる。エア同期の際に、速度制御部１３２は、信号の受信タイミングを推定し、信号の受信品質を測定する。
【００２１】
続いて、中継局１００の速度制御部１３２は、ステップＳ２０２で受信エラーが生じたか、または基地局１０２との電波品質が所定の基準未満であるかを判断する（ステップＳ２０４）。そして、受信エラーがなく、且つ電波品質が所定の基準以上であったら（ステップＳ２０４のＮＯ）、速度制御部１３２は、上述の受信タイミングの推定値に基づいて、制御電圧を算出し、算出した制御電圧を今回の制御電圧として記憶部１３６に記憶させる（ステップＳ２０６）。また、ステップＳ２０４のＮＯであれば、制御電圧は複数個算出され、最新の制御電圧が今回の制御電圧として記憶されるようにしてもよい。
【００２２】
なお、電波品質としては、例えばＲＳＳＩ（受信電界強度：Received Signal Strength Indicator）を例示することができるが、これに限定するものではない。電波品質としては、ＢＥＲ（ビットエラーレート：Bit Error Rate）、ＳＩＮＲ（信号対干渉雑音比：Signal to Interference and Noise Ratio）等、他のパラメータを用いることも可能である。また、ＲＳＳＩ等の電波品質の所定の基準としては、設置条件（基地局との距離）で規定した最小値を用いてもよいし、または受信タイミングの検出ずれが発生しない範囲（受信タイミングの推定精度）で規定した最小値としてもよい。
【００２３】
図５は、電波品質による受信タイミングの検出ずれ量について説明する図である。図５では電波品質としてＲＳＳＩを例示していて、図５（ａ）はＲＳＳＩが高い場合（ＲＳＳＩ＝４０ｄＢ）、図５（ｂ）はＲＳＳＩが低い場合（ＲＳＳＩ＝１２ｄＢ）を示している。
【００２４】
図５（ｂ）に示すようにＲＳＳＩが低い場合、中継局１００では、基地局１０２からの制御信号の受信タイミングは、検出ずれ量が４〜−３シンボルの間でばらつきが生じ、また各ずれ量における確率も３０％未満と低確率である。これに対し、図５（ａ）に示すようにＲＳＳＩが高い場合、検出ずれはほとんど生じず、且つ検出ずれが０となる確率は９０％以上である。このことから、エア同期における電波品質が高いほど、基地局１０２からの制御信号を高確率で正確に検出可能であることがわかる。
【００２５】
図６は電波品質の影響によるＨ．Ｏ．制御時の中継局１００の基準タイミングのずれについて説明する図である。図６では従来技術と同様にエア同期時の最新の（最後の）制御電圧を継続して使用していて、制御電圧の平均や繰り返し使用はしていない。図６においても電波品質としてＲＳＳＩを例示していて、図６（ａ）は、ＲＳＳＩが高いとき（ＲＳＳＩ＝３９ｄＢ）の最新の制御電圧を用いて水晶発振器１３０の制御を行った場合の中継局１００の基準タイミングのずれを示している。図６（ｂ）は、ＲＳＳＩが低いとき（ＲＳＳＩ＝１５ｄＢ）の最新の制御電圧を用いて水晶発振器１３０の制御を行った場合の中継局１００の基準タイミングのずれを示している。
【００２６】
図６（ｂ）に示すように、ＲＳＳＩが低かったときの制御電圧は０ｘ８０（１２８）から０ｘ８６（１３４）までばらつきが大きい。その最新の制御電圧を用いて水晶発振器１３０の制御を行うと、時間が経過するにしたがって、中継局１００の基準タイミングのずれが顕著に大きくなる確率が高いことがわかる。これは、ＲＳＳＩが低い時には、そもそも制御電圧の精度が低かったために、最新の制御電圧が適切な値でない確率が高いことを意味している。基準タイミングが大きくずれると、通信再開時に基地局１０２からの電波を受け取ることが難しくなってしまう。
【００２７】
これに対し、図６（ａ）に示すように、ＲＳＳＩが高かったときの制御電圧は０ｘ８２（１３０）から０ｘ８５（１３３）までに抑えられている。その最新の制御電圧を用いて水晶発振器１３０の制御を行うと、時間の経過に伴う中継局の基準タイミングのずれは大幅に低減される。このことから、電波品質が高いとき、すなわち受信タイミングの推定精度が高いときの制御電圧に基づいて制御することが非常に効果的であることが確認できる。
【００２８】
ステップＳ２０２で受信エラーが生じていた場合、または基地局１０２との電波品質が所定の基準未満であった場合（ステップＳ２０４のＹＥＳ）、速度制御部１３２は、算出した制御電圧ではなく、ステップＳ２０４のＮＯであった前回の制御電圧を今回の制御電圧として記憶部１３６に記憶させる（ステップＳ２０８）。すなわち記憶部１３６には、常に、受信エラーが生じていなく、且つ電波品質が所定の基準を超えていた際の制御電圧が記憶される。
【００２９】
中継局１００は、基地局１０２との通信が可能な間は（ステップＳ２１０のＮＯ）、ステップＳ２０２〜ステップＳ２１０を繰り返し、基地局１０２とのエア同期を行う。一方、基地局１０２との通信が不可能となった場合（ステップＳ２１０のＹＥＳ）、中継局１００の主制御部１１０はホールドオーバー制御（Ｈ．Ｏ．制御）に移行する（ステップＳ２１２）。なお、基地局１０２からの信号受信において受信エラーが継続する場合には、基地局１０２との通信が不可能になったと判断してもよい。
【００３０】
中継局１００の第１実施形態の動作の特徴として、速度制御部１３２は、中継局１００のホールドオーバー制御時（ホールドオーバー時）には、記憶部１３６に記憶した制御電圧を用いて水晶発振器を制御する。このとき第１実施形態では、速度制御部１３２は、記憶部１３６に記憶したもののうち、直近の複数の制御電圧の平均値を用いて水晶発振器１３０を制御する。また、速度制御部１３２は、記憶部１３６に記憶したもののうち、所定区間の制御電圧の平均値を用いて水晶発振器１３０を制御するようにしてもよい。所定区間（所定時間）は、数秒〜数十秒の間の適切な値を任意に設定することが可能である。
【００３１】
詳細には、まず速度制御部１３２は、記憶部１３６を参照し、記憶された複数（Ｎ回分）の制御電圧の値の平均値を算出し（ステップＳ２１４）、その平均値が整数であるかを判断する（ステップＳ２１６）。平均値が整数であったら（ステップＳ２１６のＹＥＳ）、その平均値を制御電圧に設定する（ステップＳ２１８）。
【００３２】
制御電圧は通常整数であるため、ステップＳ２１４で算出した平均値が整数でなかった場合、速度制御部１３２は平均値を整数化した値を制御電圧に設定する（ステップＳ２２０）。このとき、速度制御部１３２は、中継局１００の基準タイミングを遅らせる方向に制御するべく、平均値の小数点以下の値を切り捨てして整数化する。
【００３３】
切り捨てにする理由について説明する。図３は、基地局１０２と中継局１００とのフレームタイミングを説明する図である。図３（ａ）は、遠方遅延を補正した場合を例示していて、図３（ｂ）は、ホールドオーバー制御時に中継局１００の基準タイミングが早まる方向にずれてしまった場合を例示している。
【００３４】
一般に、基地局１０２と中継局１００は距離が離れているため、図３（ａ）に示すように、基地局１０２が送信した信号を中継局１００で受信する際には伝播遅延（遠方遅延）が生じる。そこで、中継局１００の受信フレームの後方に受信位置をずらすことにより、遠方遅延補正制御を行っている。図３（ａ）の例では、受信データの末尾が受信フレームの末尾まで至っていて、ぎりぎりまで後方にずらした状態を示している。
【００３５】
上記のように遠方遅延補正制御を行っている場合、ホールドオーバー時に周波数がより大きくなる方向に水晶発振器が制御されると、中継局１００の基準タイミングは早まる方向に進み続ける。すると、図３（ｂ）に示すように、基地局１０２が通信を再開しても、中継局１００の基準タイミングのずれ(進み)が大きくなった結果、基地局から届く信号の固定パターン（ユニークワード）が中継局１００の受信ウィンドウを逸脱してしまい、信号の受信ができなくなってしまう。
【００３６】
そこで第１実施形態の動作では、速度制御部１３２は、平均値を整数化する際に、平均値の小数点以下の値を切り捨てる。例えばＤＡＣ１３４の分解能が８ビット（２５６段階）であり、制御電圧値の平均が１３１．４２であったら、制御電圧を１３１（１６進数で０ｘ８３）に設定する。このように切り捨てによって整数化することにより、中継局１００の基準タイミングは遅くなることはあっても早くなることはない。したがって、通信再開時に基地局１０２からの電波を受け取れなくなる事態を抑制することができる。
【００３７】
ふたたび図２を参照する。制御電圧を設定したら（ステップＳ２１８、ステップＳ２２０）、速度制御部１３２は、設定した制御電圧を用いて水晶発振器を制御する（ステップＳ２２２）。この間、主制御部１１０は、基地局１０２からの制御信号の受信を監視する（ステップＳ２２４）。そして、基地局１０２からの制御信号を受信可な状態となったら（ステップＳ２２４のＹＥＳ）、速度制御部１３２はＨ．Ｏ．制御を終了してエア同期に移行する（ステップＳ２０４からステップＳ２１０）。
【００３８】
基地局１０２からの制御信号を受信できない場合（ステップＳ２２４のＮＯ）、主制御部１１０は、Ｈ．Ｏ．制御が所定時間経過するまでは（ステップＳ２２６のＮＯ）、制御信号の受信監視を継続する。そして、Ｈ．Ｏ．制御が所定時間経過したら（ステップＳ２２６のＹＥＳ）、中継局１００は、基地局サーチを行い、他の通信可能な基地局に接続する（ステップＳ２２８）。
【００３９】
上記説明したように、本実施形態の中継局１００によれば、速度制御部１３２は、電波品質が高いとき、すなわち受信タイミングの推定精度が高いときの制御電圧に基づいて水晶発振器１３０を制御する。これにより、ホールドオーバー制御時における基地局１０２とのタイミングずれを低減することができる。したがって、基地局１０２の制御信号を再度受信可能となった際に、かかる基地局１０２との通信を迅速に再開することが可能となる。
【００４０】
（第２実施形態）
図４は、中継局１００の第２実施形態の動作を説明するフローチャートである。なお、以下の説明では、第１実施形態の動作と共通する処理については、同一の符号を付すことにより重複説明を避ける。
【００４１】
第１実施形態の動作では、速度制御部１３２は、記憶部１３６に記憶した制御電圧の所定区間の平均値を用いて水晶発振器１３０を制御していた。これに対し、第２実施形態の動作では、速度制御部１３２は、記憶部１３６に記憶した制御電圧を、所定区間繰り返し使用して水晶発振器１３０を制御する。
【００４２】
詳細には、図４に示すように、第２実施形態の動作では、ホールドオーバー制御（Ｈ．Ｏ．制御）に移行したら（ステップＳ２１２）、速度制御部１３２は、記憶部１３６を参照し、所定区間の間に記憶された制御電圧のうち、Ｎ回分制御電圧から、Ｎ回前の値を制御電圧として設定する（ステップＳ２４２）。そして、基地局１０２の制御信号を受信できず（ステップＳ２２４のＮＯ）、ホールドオーバー制御が所定時間経過しない場合（ステップＳ２２６のＮＯ）、速度制御部１３２はホールドオーバー制御を継続する。
【００４３】
第２実施形態の特徴として、ホールドオーバー制御を継続する場合、速度制御部１３２は、今回の水晶発振器１３０の制御（ステップＳ２２２）に用いた制御電圧が最新の値であるかを判断する（ステップＳ２４４）。今回の制御電圧が最新の値ではなかった場合（ステップＳ２４４のＮＯ）、速度制御部１３２は制御電圧を１つ後の回の値に設定して水晶発振器１３０を制御する（ステップＳ２４６）。Ｎ回前の値の次はＮ−１回前の値、その次はＮ−２回前の値を用いる。
【００４４】
一方、今回の制御電圧が最新の値であった場合（ステップＳ２４４のＹＥＳ）、速度制御部１３２は、再度Ｎ回前の値を制御電圧に設定し（ステップＳ２４２）、ステップＳ２２２以降の動作を繰り返す。これにより、中継局１００では、所定区間のＮ回の間の値で制御電圧を変化させつつ、Ｎ回分の値をループしながら水晶発振器１３０の制御が行われる。このような制御によっても第１実施形態の動作と同様にホールドオーバー制御時における基地局１０２とのタイミングずれを低減することができる。
【００４５】
図７はＨ．Ｏ．制御時に制御電圧を平均または繰り返し使用した場合の中継局の基準タイミングのずれについて説明する図である。図７では、中継局１００において、第１実施形態の動作によってホールドオーバー制御を行った際の基準タイミングのずれの範囲を四角Ａによって例示し、第２実施形態の動作によってホールドオーバー制御を行った際の基準タイミングのずれの範囲を四角Ｂによって例示している。
【００４６】
図７の四角Ａに示すように、第１実施形態のように平均値を算出し、制御電圧をその平均値に固定して水晶発振器１３０を制御することにより、中央値に最も近い制御電圧を選択することができることがわかる。なお平均値の端数を切り捨てることによって、中央値に最も近い、遅くなる側の制御電圧を選択できる。これにより、図６（ａ）に示すような単に電波品質が高いときの最新の制御電圧を使用する場合よりも、最も推定精度の高い適切な値を確実に選択することができる。
【００４７】
さらに第２実施形態のように複数回の制御電圧をループしながら水晶発振器１３０を制御すると、図７の四角Ｂに示すように、極めて基準タイミングのずれを極めて小さくすることができる。このとき、四角Ｂは整数である０ｘ８３と０ｘ８４の間を進行し、あたかも少数値でＤＡＣ１３４を制御しているかのような挙動となる。このことから、同じく電波強度が高かったときの制御電圧を用いてホールドオーバー制御を行う場合であっても、複数回の値を順に繰り返し使用することがさらに好ましいことが理解できる。
【００４８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４９】
なお、本明細書の無線通信中継方法における各処理は、必ずしもフローチャートやシーケンス図に記載された順序に沿って時系列に行われる必要はなく、並列的あるいはサブルーチンによる処理を含んでもよい。
【産業上の利用可能性】
【００５０】
本発明は、ホールドオーバー制御時における基地局とのタイミングずれを低減し、基地局との通信を迅速に再開することが可能な中継局に利用することができる。
【符号の説明】
【００５１】
１００…中継局、１０２…基地局、１０４…端末、１１０…主制御部、１１２…基地局側通信部、１１２ａ…アンテナ、１１４…端末側通信部、１１４ａ…アンテナ、１１６…タイミング制御部、１２２…基地局側変復調部、１２４…端末側変復調部、１３０…水晶発振器、１３２…速度制御部、１３４…ＤＡＣ、１３６…記憶部
【図１】
2017098629.tif 000003
【図２】
2017098629.tif 000004
【図３】
2017098629.tif 000005
【図４】
2017098629.tif 000006
【図５】
2017098629.tif 000007
【図６】
2017098629.tif 000008
【図７】
2017098629.tif 000009